(57)【要約】  移動通信システムにおける基地局間のパケット化データハンドオフを管理するシステム及び方法が説明される。一態様では、基地局間のハンドオフ中にタイマが利用され、ソース局によって転送されるサービストラフィックからサービスゲートウェイによって受信されるトラフィックへのパス切り換えをいつ実行するかを決定し、ゲートウェイデバイスから端末へのパケット順序を高度に維持する。ハンドオフが指示されたとき、タイマがスタートされ、タイマが稼働している間、ソース基地局によってゲートウェイから送信されるパケットのみが、ターゲット基地局によって端末へ転送される。タイマが満了したとき、ターゲット局はサービスゲートウェイから受信された新しいパケットを送信するように切り換わる。タイマは「オンザフライで」調節され得る。
2011503971.tif 000002
【特許請求の範囲】
【請求項１】
ソース局からターゲット局へのハンドオフ中に、端末への送信のために転送されたパケットから、新しいパケットへのパケットパス切り換えを制御する方法であって、
ハンドオーバが指示されたときタイマをスタートすることと、
前記タイマが稼働している間、ソース局によって転送されたパケットを受信し、これらのパケットを端末へ送信することと、
前記タイマが満了していないときに転送されたパケットが受信されるたびに、前記タイマを再スタートすることと、
前記タイマが満了した後、アクセス・ゲートウェイから受信された新しいパケットを前記端末へ送信するように切り換えることと
を備える方法。
【請求項２】
前記タイマのタイムアウトが起こった後、前記ソース局から転送され受信されたパケットを前記端末へ送信しないことと、
前記受信された新しいパケットの情報を前記ターゲット局へ転送して、前記ターゲット局によって前記端末へ送信されるようにすることと
を更に備える、請求項１に記載の方法。
【請求項３】
前記ソース局と前記ターゲット局との間の往復伝搬遅延、伝送遅延、及び処理遅延の少なくとも１つを考慮に入れることによって前記タイマの値を設定すること
を更に備える、請求項１に記載の方法。
【請求項４】
前記ハンドオフが開始された後、前記タイマの値を調節すること
を更に備える、請求項３に記載の方法。
【請求項５】
前記ターゲット局はｅＮＢデバイスである、請求項１に記載の方法。
【請求項６】
前記ソース局はｅＮＢデバイスである、請求項１に記載の方法。
【請求項７】
請求項１に記載の方法を実行する回路を備えるプロセッサであって、少なくとも１つのモノリシック集積回路を含むチップセットとして提供されるプロセッサ。
【請求項８】
ソース局からターゲット局へのハンドオフ中に端末へのパケットパスを制御することによってパケット順序を維持する無線通信システムであって、
通信ネットワークと、
パケット・データを前記通信ネットワークへ提供するゲートウェイと、
前記通信ネットワーク内で動作するソース局と、
前記通信ネットワーク内で動作するターゲット局と、
前記ソース局と前記ターゲット局との間の通信リンクと、
前記通信ネットワーク内の端末と、
ハンドオーバが指示されたとき起動されるタイマと、
を備え、
前記ソース局によって前記ゲートウェイから送信されたパケットが、前記タイマのタイムアウトが起こるまで前記ターゲット局によって前記端末へ転送され、新しいパケットが前記ターゲット局によって受信されるたびに、且つ、前記タイマが満了していない場合、前記タイマは再スタートされる、システム。
【請求項９】
前記ターゲット局は、前記タイマのタイムアウトが起こった後に前記ソース局によって送信されたパケットをドロップし、前記ゲートウェイから受信されたパケットを前記端末へ転送する、請求項８に記載のシステム。
【請求項１０】
前記タイマの値が、前記ソース局と前記ターゲット局との間の少なくとも往復伝搬遅延に基づく、請求項８に記載のシステム。
【請求項１１】
前記タイマの値は、前記ハンドオフが開始された後に調節される、請求項１０に記載のシステム。
【請求項１２】
前記ターゲット局はｅＮＢデバイスである、請求項８に記載のシステム。
【請求項１３】
前記ソース局はｅＮＢデバイスである、請求項８に記載のシステム。
【請求項１４】
前記通信ネットワークは、ＬＴＥ、ＱＦＴ  ＬＴＥ  ＣＳＭ、ＷｉＭＡＸ  ＬＴＥ、及びＷＬＡＮの少なくとも１つのもとで動作することができる、請求項８に記載のシステム。
【請求項１５】
ハンドオフ中に通信デバイスへのパケットパスを制御する無線通信システムであって、
パケットを提供する手段と、
無線で送信されたパケットを受信する手段と、
受信されたパケットを無線又は非無線の少なくとも１つで送信する第１の手段と、
受信されたパケットを無線で送信する第２の手段と、
ハンドオーバが指示されたとき起動されるタイミング手段と、
を備え、
受信されたパケットは、前記タイミング手段のタイムアウトが起こるまで、前記第１の手段によって前記第２の手段へ送信されて、前記無線で送信されたパケットを受信する手段へ転送され、前記タイミング手段が満了していないとき、新しいパケットが前記第２の手段によって受信されるたびに、前記タイミング手段は再スタートされることと
を備える無線通信システム。
【請求項１６】
前記第２の手段は、前記タイミング手段のタイムアウトが起こった後、前記第１の手段によって送信されたパケットをドロップし、前記パケットを提供する手段から受信されたパケットを、前記無線で送信されたパケットを受信する手段へ転送する、請求項１５に記載の無線通信システム。
【請求項１７】
コンピュータ読み取り可能媒体を備えるコンピュータ・プログラム・プロダクトであって、
前記コンピュータ読み取り可能媒体は、
移動通信環境におけるソース局とターゲット局との間でハンドオーバが指示されたときタイマをスタートするためのコードと、
前記ソース局によって送信されたパケットを前記ターゲット局によって受信するためのコードと、
前記タイマのタイムアウトが起こるまで、前記ソース局によって送信されて受信された前記パケットの情報を前記ターゲット局によって端末へ転送するためのコードと、
前記タイマが満了していないとき、新しいパケットが受信されるたびに前記タイマが再スタートされるためのコードと
を備えるコンピュータ・プログラム・プロダクト。
【請求項１８】
前記タイマのタイムアウトが起こった後、前記ソース局によって送信されて受信されたパケットをドロップするためのコードと、
前記ターゲット局によって転送されるべく前記ターゲット局によってゲートウェイから受信されたパケットの情報を前記端末へ転送するためのコードと
を更に備える、請求項１７に記載のコンピュータ・プログラム・プロダクト。
【請求項１９】
前記ソース局と前記ターゲット局との間の往復伝搬遅延を考慮に入れることによって前記タイマの値を設定するためのコードを更に備える、請求項１７に記載のコンピュータ・プログラム・プロダクト。
【請求項２０】
前記ハンドオフが開始した後、前記タイマの前記値を調節するためのコードを更に備える、請求項１９に記載のコンピュータ・プログラム・プロダクト。
【発明の詳細な説明】
【関連出願に対する相互参照】
【０００１】
本特許出願は、２００７年１０月３１日に出願され、発明の名称が「In-Order Delivery During Handoff Using a Heuristic Timer（発見的タイマを使用してハンドオフ中の順序正しい配信）」である仮特許出願第６０／９８４,３５２号への優先権を主張する。この仮特許出願は本特許出願の譲受人へ譲渡され、本特許出願の発明者によって出願されたものであり、参照によって本明細書に組み入れられている。
【技術分野】
【０００２】
本開示は、一般的には無線通信に関し、更に具体的には、モバイル・システムにおけるゲートウェイ・パケット・データ・ハンドオフ調整に関する。
【背景技術】
【０００３】
本文書において、次の略語が適用される。
【０００４】
ＡＭ          アクノレッジ・モード
ＡＭＤ        アクノレッジ・モード・データ
ＡＲＱ        自動再送要求
ＢＣＣＨ      ブロードキャスト制御チャネル
ＢＣＨ        ブロードキャスト・チャネル
Ｃ−          制御−
ＣＣＣＨ      共通制御チャネル
ＣＣＨ        制御チャネル
ＣＰ          サイクリック・プレフィクス
ＣＲＣ        巡回冗長検査
ＣＴＣＨ      共通トラフィック・チャネル
Ｄ−ＢＣＨ    動的ブロードキャスト・チャネル
ＤＣＣＨ      専用制御チャネル
ＤＣＨ        専用チャネル
ＤＬ          ダウンリンク
ＤＳＣＨ      ダウンリンク共有チャネル
ＤＴＣＨ      専用トラフィック・チャネル
ＦＤＤ        周波数分割複信
Ｌ１          層１（物理層）
Ｌ２          層２（データリンク層）
Ｌ３          層３（ネットワーク層）
ＬＩ          長さインジケータ
ＬＳＢ        最下位ビット
ＭＡＣ        メディアアクセス制御
ＭＢＭＳ      マルチメディア・ブロードキャスト・マルチキャスト・サービス
ＭＣＣＨ      ＭＢＭＳポイント・ツー・マルチポイント制御チャネル
ＭＲＷ        動き受信ウィンドウ
ＭＳＢ        最上位ビット
ＭＳＣＨ      ＭＢＭＳポイント・ツー・マルチポイント・スケジューリング・チャネル
ＭＴＣＨ      ＭＢＭＳポイント・ツー・マルチポイント・トラフィック・チャネル
Ｐ−ＢＣＨ    １次ブロードキャストチャネル
ＰＣＣＨ      ページング制御チャネル
ＰＣＦＩＣＨ  物理制御フォーマット・インジケータ・チャネル
ＰＣＨ        ページング・チャネル
ＰＤＣＣＨ    物理ダウンリンク制御チャネル
ＰＤＵ        プロトコル・データ・ユニット
ＰＨＹ        物理層
ＰＨＩＣＨ    物理ハイブリッドＡＲＱインジケータ・チャネル
ＰｈｙＣＨ    物理チャネル
ＲＡＣＨ      ランダム・アクセス・チャネル
ＲＥ          リソース要素
ＲＳ          参照信号
ＲＬＣ        無線リンク制御
ＲｏＨＣ      ロバストヘッダ圧縮
ＲＲＣ        無線リソース制御
ＳＡＰ        サービス・アクセス・ポイント
ＳＤＵ        サービス・データ・ユニット
ＳＨＣＣＨ    共有チャネル制御チャネル
ＳＮ          シーケンス番号
ＳＵＦＩ      スーパ・フィールド
ＴＣＨ        トラフィック・チャネル
ＴＤＤ        時分割複信
ＴＦＩ        伝送フォーマット・インジケータ
ＴＭ          透過モード
ＴＭＤ        透過モード・データ
ＴＴＩ        送信時間インタバル
Ｕ−          ユーザ−
ＵＥ          ユーザ機器
ＵＬ          アップリンク
ＵＭ          非アクノレッジ・モード
ＵＭＤ        非アクノレッジ・モード・データ
ＵＭＴＳ      ユニバーサル移動体通信システム
ＵＴＲＡ      ＵＭＴＳ地上無線アクセス
ＵＴＲＡＮ    ＵＭＴＳ地上無線アクセス・ネットワーク
【発明の概要】
【０００５】
本開示は、モバイル・システムにおいて基地局間のパケット化データハンドオフを管理するシステム及び方法、及びこれらの変形例を提供する。
【０００６】
本開示の様々な態様の１つにおいて、ソース局からターゲット局へのハンドオフ中に、端末へ送信するため、転送されたパケットから新しいパケットへのパケットパス切り換えを制御する方法が提供される。この方法は、ハンドオーバが指示されたときタイマをスタートすることと、タイマが稼働している間、ソース局によって転送されたパケットを受信してこれらのパケットを端末へ送信することと、転送されたパケットが受信されてタイマが満了していないとき、常にタイマを再スタートすることと、タイマが満了した後、アクセス・ゲートウェイから受信される新しいパケットの端末送信へ切り換えることとを備える。
【０００７】
本開示の様々な態様の１つにおいて、ソース局からターゲット局へのハンドオフ中に端末へのパケットパスを制御することによって、パケット順序を維持する無線通信システムが提供される。このシステムは、通信ネットワーク、パケット・データを通信ネットワークへ提供するゲートウェイ、通信ネットワーク内で動作するソース局、通信ネットワーク内で動作するターゲット局、ソース局とターゲット局との間の通信リンク、通信ネットワーク内の端末、ハンドオーバが指示されたとき起動されるタイマ、タイマのタイムアウトが起こるまで、ソース局によってゲートウェイから送信されたパケットがターゲット局によって端末へ転送されること、及び新しいパケットがターゲット局によって受信され、タイマが満了していない場合、常にタイマが再スタートされることとを備える。
【０００８】
本開示の様々な態様の１つにおいて、ハンドオフ中に通信デバイスへのパケットパスを制御する無線通信システムが提供される。システムは、パケットを提供する手段、送信パケットを無線で受信する手段、受信パケットを無線又は非無線の少なくとも１つで送信する第１の手段、受信パケットを無線で送信する第２の手段、ハンドオーバが指示されたとき起動されるタイミング手段、受信パケットが第１の手段によって第２の手段へ送信されて、タイミング手段のタイムアウトが起こるまで送信パケットを無線で受信する手段へ転送されるようにすること、及びタイミング手段が満了していないとき、新しいパケットが第２の手段によって受信されるたびにタイミング手段が再スタートされることを備える。
【０００９】
本開示の様々な態様の１つにおいて、コンピュータ読み取り可能媒体を備えるコンピュータ・プログラム・プロダクトが提供される。コンピュータ読み取り可能媒体は、移動通信環境におけるソース局とターゲット局との間でハンドオーバが指示されるときタイマをスタートするためのコード、ソース局によって送信されたパケットをターゲット局によって受信するためのコード、タイマのタイムアウトが起こるまでソース局によって送信されて受信されたパケットの情報をターゲット局によって端末へ転送するためのコード、及びタイマが満了していないとき、新しいパケットが受信されるたびにタイマが再スタートされるためのコードを備える。
【図面の簡単な説明】
【００１０】
【図１】多元接続無線通信システムの図である。
【図２】送信機システム及び受信機システムの一実施形態のブロック図である。
【図３】複数のセルを含む多元接続無線通信システムの図である。
【図４】ゲートウェイ、ソース局、ターゲット局、及び端末を含む通信システムのブロック図である。
【図５】良好なチャネル条件を有するシミュレーションについての相対的性能を示す。
【図６】貧弱なチャネル条件を有するシミュレーションについての相対的性能を示す。
【図７】タイマアプローチを概説するフローチャートである。
【発明を実施するための形態】
【００１１】
次に、様々な実施形態が、図面を参照して説明される。図面において、同様な参照番号は全体を通して同様な要素を参照するために使用される。以下の説明では、説明のために、１つ又は複数の実施形態の完全な理解を提供するため多くの具体的な詳細が記載される。しかしながら、このような実施形態は、これらの具体的な詳細なしに実施することがことは明らかである。他の場合には、１つ又は複数の実施形態の説明を容易にするために、周知の構造及びデバイスがブロック図形式で示される。
【００１２】
本明細書で使用される場合、「コンポーネント」、「モジュール」、「システム」などの用語は、ハードウェア、ファームウェア、ハードウェアとソフトウェアとの組み合わせ、ソフトウェア、又は実行中のソフトウェアであるコンピュータ関連エンティティを意味することを意図される。例えば、コンポーネントは、以下に限定されないが、プロセッサで実行しているプロセス、プロセッサ、オブジェクト、実行可能ファイル、実行スレッド、プログラム、及び／又はコンピュータであり得る。例示として、コンピュータ・デバイスで実行しているアプリケーション及びコンピュータ・デバイスの両方が、コンポーネントであり得る。１つ又は複数のコンポーネントは、プロセス及び／又は実行スレッド内に存在してもよく、コンポーネントは１つのコンピュータの上に局在してもよく、及び／又は２つ以上のコンピュータの間で分散されてもよい。また、これらのコンポーネントは、様々なデータ構造を記憶された様々なコンピュータ読み取り可能媒体から実行され得る。コンポーネントは、ローカル及び／又はリモートプロセスを介して、例えば、１つ又は複数のデータ・パケット（例えば、信号によって、ローカルシステム、分散システム内の他のコンポーネントとインタラクトし、及び／又はネットワーク、例えば、インターネットを介して他のシステムとインタラクトしている１つのコンポーネントからのデータ）を有する信号に従って、通信し得る。
【００１３】
更に、本明細書において、様々な実施形態は、アクセス端末と関連させて本明細書で説明される。アクセス端末は、システム、加入者ユニット、加入者局、移動局、モバイル、遠隔局、遠隔端末、移動デバイス、ユーザ端末、端末、無線通信デバイス、ユーザ・エージェント、ユーザ・デバイス、又はユーザ機器（ＵＥ）とも呼ばれ得る。アクセス端末は、セルラ電話、コードレス電話、セッション開始プロトコル（ＳＩＰ）電話、無線ローカルループ（ＷＬＬ）局、携帯情報端末（ＰＤＡ）、無線接続機能を有するハンドヘルド・デバイス、コンピューティング・デバイス、又は無線モデムへ接続されるか無線モデムを利用する他の処理デバイスであり得る。更に、本明細書において、様々な実施形態は、基地局と関連させて説明される。基地局は、アクセス端末との通信に利用可能であり、アクセス・ポイント、ノードＢ、ｅノードＢ（ｅＮＢ）、又は他の何らかの用語で呼ばれ得る。下記で提供される説明の文脈に依存して、ノードＢの用語は、採用されている関連通信システムに従ってｅＮＢと置き換えてもよく、及び／又はその逆であってもよい。
【００１４】
更に、本明細書で説明される様々な態様又は特徴は、標準プログラミング及び／又はエンジニアリング手法を使用して方法、装置、又は製造物品として実現され得る。本明細書で使用される場合、「製造物品」の用語は、任意のコンピュータ読み取り可能デバイス、キャリア、又は媒体からアクセス可能なコンピュータ・プログラムを包含することを意図される。例えば、コンピュータ読み取り可能媒体は、以下に限定されないが、磁気記憶デバイス（例えば、ハードディスク、フロッピー（登録商標）・ディスク、磁気ストリップなど）、光ディスク（例えば、コンパクト・ディスク（ＣＤ）、ディジタル・バーサタイル・ディスク（ＤＶＤ）など）、スマートカード、及びフラッシュ・メモリ・デバイス（例えば、ＥＰＲＯＭ、カード、スティック、キードライブなど）を含むことができる。更に、本明細書で説明される様々な記憶媒体は、情報を記憶するための１つ又は複数のデバイス及び／又は他の機械読み取り可能媒体を表しうる。「機械読み取り可能媒体」の用語は、以下に限定されないが、命令（群）及び／又はデータを記憶、包含、及び／又は搬送することができる無線チャネル及び様々な他の媒体を含み得る。
【００１５】
直交周波数分割多重（ＯＦＤＭ）通信システムは、全体のシステム帯域幅を複数（ＮＦ）のサブキャリアへ効果的に分割する。サブキャリアは、周波数サブチャネル、トーン、又は周波数ビンとも呼ばれうる。ＯＦＤＭシステムの場合、送信されるデータ（即ち、情報ビット）は、最初に特定の符号化スキームを用いて符号化され、符号化ビットを生成する。符号化ビットはマルチビット・シンボルへ更にグループ化され、次いでマルチビット・シンボルは変調シンボルへマップされる。各変調シンボルは、データ伝送に使用される特定の変調スキーム（例えば、Ｍ−ＰＳＫ又はＭ−ＱＡＭ）によって規定された信号点配置の中の点に対応する。各周波数サブキャリアの帯域幅に依存する各時間インタバルにおいて、変調シンボルはＮＦの周波数サブキャリアの各々で送信される。ＯＦＤＭは、周波数選択性フェージングによって引き起こされるシンボル間干渉（ＩＳＩ）に対処するために使用される。周波数選択性フェージングは、システム帯域幅にわたって減衰量が異なることを特徴とする。
【００１６】
多入力多出力（ＭＩＭＯ）通信システムは、データ伝送に複数（ＮＴ）の送信アンテナ及び複数（ＮＲ）の受信アンテナを用いる。ＮＴ個の送信アンテナ及びＮＲ個の受信アンテナによって形成されたＭＩＭＯチャネルは、ＮＳ個の独立チャネルへ分解される。ここで、ＮＳ≦ｍｉｎ｛ＮＴ，ＮＲ｝である。ＮＳの独立チャネルの各々は、ＭＩＭＯチャネルの空間サブキャリアとも呼ばれ、次元に対応する。ＭＩＭＯシステムは、複数の送信及び受信アンテナによって作り出された追加の次元数が用いられる場合、性能の向上（例えば、伝送容量の増加）を提供することができる。
【００１７】
ＯＦＤＭを採用するＭＩＭＯシステム（即ち、ＭＩＭＯ−ＯＦＤＭシステム）の場合、ＮＦ個の周波数サブキャリアが、データ伝送のためにＮＳの空間サブチャネルの各々で利用可能である。各空間サブチャネルの各周波数サブキャリアは、伝送チャネルと呼ばれうる。したがって、ＮＦ・ＮＳの伝送チャネルが存在し、ＮＴ個の送信アンテナとＮＲ個の受信アンテナとの間のデータ伝送に利用可能である。
【００１８】
ＭＩＭＯ−ＯＦＤＭシステムの場合、各空間サブチャネルのＮＦ個の周波数サブチャネルは、異なるチャネル条件（例えば、異なるフェージング及びマルチパス効果）を経験し、異なる信号対雑音及び干渉比（ＳＮＲ）を達成しうる。送信された各変調シンボルは、シンボルが送信された伝送チャネルの応答によって影響を受ける。送信機と受信機との間の通信チャネルのマルチパスプロファイルに依存して、周波数応答は各空間サブチャネルについてシステム帯域幅の全体で広く変動し、更に空間サブチャネルの間で広く変動する。
【００１９】
図１を参照すると、一実施形態による多元接続無線通信システムが示される。アクセス・ポイント１００（ＡＰ）は複数のアンテナ群を含む。１つのアンテナ群は１０４及び１０６を含み、他のアンテナ群は１０８及び１１０を含み、更なるアンテナ群は１１２及び１１４を含む。図１において、各アンテナ群について２つだけのアンテナが示されるが、各アンテナ群について用いられているアンテナはこれよりも多くても少なくてもよい。アクセス端末１１６（ＡＴ）はアンテナ１１２及び１１４と通信している。ここで、アンテナ１１２及び１１４は、順方向リンク１２０によって情報をアクセス端末１１６へ送信し、逆方向リンク１１８によって情報をアクセス端末１１６から受信する。アクセス端末１２２はアンテナ１０６及び１０８と通信している。ここでアンテナ１０６及び１０８は、順方向リンク１２６によって情報をアクセス端末１２２へ送信し、逆方向リンク１２４によって情報をアクセス端末１２２から受信する。ＦＤＤシステムにおいて、通信リンク１１８、１２０、１２４、及び１２６は、異なる周波数を通信に使用しうる。例えば、順方向リンク１２０は、逆方向リンク１１８によって使用される周波数とは異なる周波数を使用しうる。
【００２０】
各アンテナ群、及び／又は各アンテナ群が通信するように設計された領域は、しばしばアクセス・ポイントのセクタと呼ばれる。本実施形態において、各アンテナ群は、それぞれアクセス・ポイント１００が対象とする領域のセクタ内のアクセス端末と通信するように設計されている。
【００２１】
順方向リンク１２０及び１２６による通信において、アクセス・ポイント１００の送信アンテナは、異なるアクセス端末１１６及び１２４について順方向リンクの信号対雑音比を改善するために、ビームフォーミングを利用する。更に、ビームフォーミングを使用して自己の有効範囲内でランダムに分散したアクセス端末へ送信しているアクセス・ポイントは、単一のアンテナを介して全てアクセス端末へ送信しているアクセス・ポイントよりも隣接セルのアクセス端末に対する干渉が少ない。
【００２２】
アクセス・ポイントは、端末と通信するために使用される固定局であり、アクセス・ポイント、ノードＢ、又は他の何らかの名称でも呼ばれうる。アクセス端末も、アクセス端末、ユーザ機器（ＵＥ）、無線通信デバイス、端末、アクセス端末、又は他の何らかの名称でも呼ばれうる。
【００２３】
図２は、ＭＩＭＯシステム２００における送信機システム２１０（アクセス・ポイントとしても知られる）及び受信機システム２５０（アクセス端末としても知られる）の一実施形態のブロック図である。送信機システム２１０において、多数のデータ・ストリームのトラフィック・データは、データ・ソース２１２から送信（ＴＸ）データ・プロセッサ２１４へ提供される。
【００２４】
一実施形態において、各データ・ストリームは、それぞれの送信アンテナを介して送信される。ＴＸデータ・プロセッサ２１４は、各データ・ストリームのトラフィック・データをフォーマットし、各データ・ストリームについて選択された特定の符号化スキームに基づいて符号化し、及びインタリーブして、符号化データを提供する。
【００２５】
各データ・ストリームの符号化データは、ＯＦＤＭ技術を用いてパイロット・データと多重化される。パイロット・データは、典型的には、既知の方法で処理される既知のデータ・パターンであり、チャネル応答を推定するため受信機システムで使用される。各データ・ストリームの多重化されたパイロット及び符号化データは、次に、変調シンボルを提供するため各データ・ストリームについて選択された特定の変調スキーム（例えば、ＢＰＳＫ、ＱＳＰＫ、Ｍ−ＰＳＫ、又はＭ−ＱＡＭ）に基づいて変調（即ち、シンボル・マップ）される。各データ・ストリームのデータレート、符号化、及び変調は、メモリ２３２を取り付けられたプロセッサ２３０によって実行される命令群によって決定される。
【００２６】
次に、全てのデータ・ストリームの変調シンボルは、ＴＸ  ＭＩＭＯプロセッサ２２０へ提供される。ＴＸ  ＭＩＭＯプロセッサ２２０は、変調シンボルを更に処理する（例えば、ＯＦＤＭの場合）。次に、ＴＸ  ＭＩＭＯプロセッサ２２０は、ＮＴ個の変調シンボル・ストリームをＮＴ個の送信機（ＴＭＴＲ）２２２ａ〜２２２ｔへ提供する。或る実施形態において、ＴＸ  ＭＩＭＯプロセッサ２２０は、データ・ストリームのシンボルへ、及びシンボルが送信されているアンテナへ、ビームフォーミング重みを適用する。
【００２７】
各送信機２２２は、それぞれのシンボル・ストリームを受信及び処理して１つ又は複数のアナログ信号を提供し、更にアナログ信号を調整（例えば、増幅、フィルタ、及びアップコンバート）して、ＭＩＭＯチャネルを介する伝送に適した変調信号を提供する。送信機２２２ａ〜２２２ｔからのＮＴ個の変調信号は、それぞれＮＴ個のアンテナ２２４ａ〜２２４ｔから送信される。
【００２８】
受信機システム２５０において、送信され変調された信号はＮＲ個のアンテナ２５２ａ〜２５２ｒによって受信され、各アンテナ２５２からの受信された信号は、それぞれの受信機（ＲＣＶＲ）２５４ａ〜２５４ｒへ提供される。各受信機２５４は、それぞれの受信された信号を調整（例えば、フィルタ、増幅、及びダウンコンバート）し、調整された信号をデジタル化してサンプルを提供し、サンプルを更に処理して、対応する「受信」シンボル・ストリームを提供する。
【００２９】
次に、ＲＸデータ・プロセッサ２６０は、ＮＲ個の受信機２５４からのＮＲ個の受信されたシンボルシンボル・ストリームを受信し、特定の受信機処理技術に基づいて処理し、ＮＴ個の「検出」シンボル・ストリームを提供する。次に、ＲＸデータ・プロセッサ２６０は、各々の検出されたシンボル・ストリームを復調、デインタリーブ、及び復号して、データ・ストリームのトラフィック・データを復元する。ＲＸデータ・プロセッサ２６０による処理は、送信機システム２１０でＴＸ  ＭＩＭＯプロセッサ２２０及びＴＸデータ・プロセッサ２１４によって実行された処理と相補的である。
【００３０】
プロセッサ２７０は、どの事前符号化行列を使用するかを定期的に決定する（後述する）。プロセッサ２７０は、行列インデクス部及びランク値部を備える逆方向リンク・メッセージを定式化する。プロセッサ２７０はサポートメモリ２６２へ結合されうる。
【００３１】
逆方向リンク・メッセージは、通信リンク及び／又は受信されたデータ・ストリームに関して様々なタイプの情報を備えうる。次に、逆方向リンク・メッセージは、データ・ソース２３６からも多数のデータ・ストリームのトラフィック・データを受信するＴＸデータ・プロセッサ２３８によって処理され、変調器２８０によって変調され、送信機２５４ａ〜２５４ｒによって調整され、送信機システム２１０へ戻される。
【００３２】
送信機システム２１０において、受信機システム２５０からの変調された信号は、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。次に、プロセッサ２３０は、ビームフォーミング重みを決定するためにどの事前符号化行列を使用するかを決定し、抽出されたメッセージを処理する。
【００３３】
一態様において、論理チャネルは、制御チャネル及びトラフィック・チャネルへ分類される。論理制御チャネルは以下を備える。システム制御情報をブロードキャストするＤＬチャネルであるブロードキャスト制御チャネル（ＢＣＣＨ）。ページング情報を転送するＤＬチャネルであるページング制御チャネル（ＰＣＣＨ）。１つ又は幾つかのＭＴＣＨについてマルチメディア・ブロードキャスト及びマルチキャスト・サービス（ＭＢＭＳ）スケジューリング及び制御情報を送信するために使用されるポイント・ツー・マルチポイントＤＬチャネルであるマルチキャスト制御チャネル（ＭＣＣＨ）。一般的に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・ツー・ポイント双方向チャネルであり、ＲＲＣ接続を有するＵＥによって使用される。一態様において、論理トラフィック・チャネルは、以下を備えうる。ユーザ情報の転送のために、１つのＵＥに専用のポイント・ツー・ポイント双方向チャネルである専用トラフィック・チャネル（ＤＴＣＨ）。更に、トラフィック・データを送信するためのポイント・ツー・マルチポイントＤＬチャネルであるマルチキャスト・トラフィック・チャネル（ＭＴＣＨ）。
【００３４】
一態様において、トランスポートチャネルは、ＤＬ及びＵＬへ分類される。ＤＬトランスポートチャネルは、ブロードキャスト・チャネル（ＢＣＨ）、ダウンリンク共有データ・チャネル（ＤＬ−ＳＤＣＨ）、及びページング・チャネル（ＰＣＨ）を備える。ＰＣＨは、ＵＥの省電力をサポートし（ＵＥへのＤＲＸサイクルはネットワークによって指示される）、セル全体にわたってブロードキャストされ、他の制御／トラフィック・チャネルに使用され得るＰＨＹリソースへマップされる。ＵＬトランスポートチャネルは、ランダム・アクセス・チャネル（ＲＡＣＨ）、要求チャネル（ＲＥＱＣＨ）、アップリンク共有データ・チャネル（ＵＬ−ＳＤＣＨ）、及び複数のＰＨＹチャネルを備える。ＰＨＹチャネルは、ＤＬチャネル及びＵＬチャネルのセットを備える。
【００３５】
ＤＬ  ＰＨＹチャネルは、次のチャネルを備える。
【００３６】
共通パイロット・チャネル（ＣＰＩＣＨ）
同期チャネル（ＳＣＨ）
共通制御チャネル（ＣＣＣＨ）
共有ＤＬ制御チャネル（ＳＤＣＣＨ）
マルチキャスト制御チャネル（ＭＣＣＨ）
共有ＵＬ割当チャネル（ＳＵＡＣＨ）
アクノレッジメント・チャネル（ＡＣＫＣＨ）
ＤＬ物理共有データ・チャネル（ＤＬ−ＰＳＤＣＨ）
ＵＬ電力制御チャネル（ＵＰＣＣＨ）
ページング・インジケータ・チャネル（ＰＩＣＨ）
負荷インジケータ・チャネル（ＬＩＣＨ）
ＵＬ  ＰＨＹチャネルは、次のチャネルを備える。
【００３７】
物理ランダム・アクセス・チャネル（ＰＲＡＣＨ）
チャネル品質インジケータ・チャネル（ＣＱＩＣＨ）
アクノレッジメント・チャネル（ＡＣＫＣＨ）
アンテナ・サブセット・インジケータ・チャネル（ＡＳＩＣＨ）
共有要求チャネル（ＳＲＥＱＣＨ）
ＵＬ物理共有データ・チャネル（ＵＬ−ＰＳＤＣＨ）
広帯域パイロット・チャネル（ＢＰＩＣＨ）
一態様において、単一キャリア波形の低ＰＡＲ特性を維持するチャネル構造が提供される（任意の所与の時点では、チャネルは周波数において連続又は一様間隔である）。
【００３８】
図３を参照すると、一態様による多元接続無線通信システム３００が示される。多元接続無線通信システム３００は、セル３０２、３０４、及び３０６を含む複数の領域を含む。図３の態様において、各々のセル３０２、３０４、及び３０６はノードＢを含み、ノードＢは複数のセクタを含む。複数のセクタはアンテナの群によって形成され、各々のアンテナはセルの一部内に存在するＵＥとの通信を担う。例えば、セル３０２内では、アンテナ群３１２、３１４、及び３１６の各々が、異なるセクタに対応する。セル３０４内では、アンテナ群３１８、３２０、及び３２２の各々が、異なるセクタに対応する。セル３０６の中では、アンテナ群３２４、３２６、及び３２８の各々が、異なるセクタに対応する。
【００３９】
各セル３０２、３０４、及び３０６は、幾つかの無線通信デバイス、例えば、ユーザ機器又はＵＥを含むことができる。これらの無線通信デバイスは、各セル３０２、３０４、又は３０６の１つ又は複数のセクタと通信することができる。例えば、ＵＥ３３０及び３３２はノードＢ３４２と通信し、ＵＥ３３４及び３３６はノードＢ３４４と通信し、ＵＥ３３８及び３４０はノードＢ３４６と通信することができる。
【００４０】
汎用パケット無線サービス（ＧＰＲＳ）システムは、ユビキタスな移動電話システムであり、ＩＰパケットを送信するためにＧＳＭ移動電話によって使用される。ＧＰＲＳコア・ネットワーク（ＧＳＭコア・ネットワークの一体化部分）は、ＷＣＤＭＡベースの３Ｇネットワーク並びにロング・ターム・エボリューション（ＬＴＥ）ベースの４Ｇネットワークに対するサポートを提供するＧＰＲＳシステムの一部である。ＧＰＲＳコア・ネットワークは、ＧＳＭ及びＷＣＤＭＡネットワークにおけるインターネット・プロトコル・パケット・サービスのために移動性管理、セッション管理、及びトランスポートを提供することができる。ＬＴＥはＥＵＴＲＡ（エボルブド・ユニバーサル地上無線アクセス（Evolved Universal Terrestrial Radio Access））及びＥＵＴＲＡＮ（エボルブド・ユニバーサル地上無線アクセス・ネットワーク（Evolved Universal Terrestrial Radio Access Network））を備える。
【００４１】
ＧＰＲＳトンネリング・プロトコル（ＧＴＰ）は、ＧＰＲＳコア・ネットワークのＩＰプロトコルである。ＧＴＰは、ＧＳＭ、ＷＣＤＭＡ、又はＬＴＥネットワークのユーザが、あたかも特定のゲートウェイＧＰＲＳサポートノード（ＧＧＳＮ）の１つの場所から接続するようにインターネットへの接続を継続しながら、あちこちへ移動することを可能にする。ＧＴＰは、加入者の現在のサービスＧＰＲＳサポートノード（ＳＧＳＮ）から、加入者のセッションを取り扱っているＧＧＳＮへ、加入者のデータを搬送することによって、これを行う。ＧＰＲＳコア・ネットワークによって、ＧＴＰの３つの形態が使用される。即ち、（１）各々のＰＤＰコンテキストのために分離トンネル内でユーザデータを転送するためのＧＴＰ−Ｕ、（２）制御理由、例えば、加入者が１つのＳＧＳＮから他のＳＧＳＮへ移動するときにＰＤＰコンテキストをセットアップ及び削除し、ＧＳＮ可到達性の更新を検証するためのＧＴＰ−Ｃ、及び（３）課金データをＧＳＮから課金機能へ転送するためのＧＴＰ’である。
【００４２】
ＧＰＲＳサポートノード（ＧＳＮ）は、ＧＳＭコア・ネットワーク内でＧＰＲＳの使用をサポートするネットワークノードである。ＧＳＮの２つの重要な変形が存在する。この変形は、ゲートウェイＧＰＲＳサポートノード（ＧＧＳＮ）及びサービスＧＰＲＳサポートノード（ＳＧＳＮ）を含む。
【００４３】
ＧＧＳＮは、ＧＰＲＳバックボーンネットワークと外部パケット・データ・ネットワーク（無線ネットワーク及びＩＰネットワーク）との間のインタフェースを提供することができる。ＧＧＳＮは、ＳＧＳＮから来るＧＰＲＳパケットを適当なパケット・データ・プロトコル（ＰＤＰ）フォーマット（例えば、ＩＰ又はＸ.２５）へ変換し、変換されたパケットを、対応するパケット・データ・ネットワークへ送信することができる。逆の方向では、到着するデータ・パケットのＰＤＰアドレスが、宛先ユーザのＧＳＭへ変換される。次に、再アドレスされたパケットは、関与しているＳＧＳＮへ送信される。この目的のために、ＧＧＳＮは、ユーザの現在のＳＧＳＮアドレス及びユーザ・プロファイルを、このＧＧＳＮのロケーション・レジスタへ記憶することができる。ＧＧＳＮは、ＩＰアドレス割当てを提供することができ、一般に特定ＵＥのデフォルトルータである。
【００４４】
対照的に、ＳＧＳＮは、これの地理的サービスエリア内の移動局から及び／又は移動局へのデータ・パケットの配信を担うことができる。ＳＧＳＮの仕事は、パケットの経路選択及び転送、移動性管理、論理リンク管理、認証、及び課金機能を含みうる。
【００４５】
続いて、ユーザプレーン（ＧＴＰ−Ｕ）層のＧＰＲＳトンネリング・プロトコルは、ユーザプレーン（Ｕ−ｐｌａｎｅ）で使用され、パケット交換エリアでユーザデータを送信するのに有用である。ユニバーサル移動体通信システム（ＵＭＴＳ）におけるパケット交換網は、ＧＰＲＳに基づいており、したがって、ＧＴＰ−ＵはＵＭＴＳで使用されてもよい。ＵＭＴＳは第３世代（３Ｇ）携帯電話テクノロジの１つである。ＵＭＴＳは、３ＧＳＭと呼ばれることもあり、これは、ＵＭＴＳの３Ｇ背景、及び継承するようにＵＭＴＳが設計されたＧＳＭ標準、の両方を示唆している。
【００４６】
図３を再び参照して、１つのノードＢ（又は、より適切には、これらの特定の電気通信標準の場合には「ｅＮＢ」）が通信を第２のｅＮＢへハンドオフする場合があることを理解すべきである。本開示において、ＵＥとの通信をハンドオーバしているｅＮＢは「ソースｅＮＢ」と呼ばれ、ＵＥへのアクセスを獲得しているｅＮＢは「ターゲットｅＮＢ」と呼ばれる。ハンドオフ又はハンドオーバは、或る局をサービス局の集合へ追加又は除去するプロセスを意味する。ハンドオフ又はハンドオーバは、ネットワークによって起動され、又は端末によって起動される。後者は端末ベースの移動性としても知られる。
【００４７】
ロング・ターム・エボリューション（ＬＴＥ）通信システムの場合、対応するＩＰパケット、又はパケット・データ制御プロトコル（ＰＤＣＰ）サービス・データ・ユニット（ＳＤＵ）が、ハンドオーバ中に「順序正しく」で配信されるように保証することが有利でありうる。ＬＴＥ通信システム、例えば、ＵＭＴＳは、無線トラフィックスタックの層の１つとしてＰＤＣＰ（パケットデータ・コンバージェンス・プロトコル）を使用しうる。ＰＤＣＰは多様な機能を実行することができる。これらの機能の中には、ＩＰヘッダの圧縮及び解凍、ユーザデータの転送、及びシリアル番号（ＳＮ）の維持が含まれる。
【００４８】
同様に、ＴＣＰプロトコルは、特定のメッセージのパケットが適切な順序で受信される場合、最も良好に働く。そうでなければ、全体的データ転送レートが悪影響を受けやすい。しがたって、ＰＤＣＰはＴＣＰパケットを順序正しくパケット化すべきことが理解される。
【００４９】
続いて図４において、通信システムのブロック図が示される。図４に示すように、通信システムは、アクセス・ゲートウェイ（ＡＧＷ）４１０、ソースｅＮＢ４２０、ターゲットｅＮＢ４３０、及びユーザ機器（ＵＥ）４４０を含む。また、図４に示すように、ソースｅＮＢ４２０及びターゲットｅＮＢ４３０の両方は、それぞれのＳ１リンクＳ１−４１２、Ｓ１−４１４を介してＡＧＷ４１０へ接続され、ソースｅＮＢ４２０及びターゲットｅＮＢ４３０は、リンクＸ２−４２２を介して相互に結合され、ソースｅＮＢ４２０及びターゲットｅＮＢ４３０の各々は、それぞれの無線リンクＷ１−４２４及びＷ１−４３４を介してＡＴ４４０と通信してもよい。
【００５０】
ハンドオーバ中には、ターゲットｅＮＢ４３０は、ソースｅＮＢ４２０及びＡＧＷ４１０の双方からパケットを受信することを理解すべきである。残念ながら、ハンドオフ中には、ターゲットｅＮＢ４３０は、どの又は幾つのＩＰパケットがＡＧＷ４１０からソースｅＮＢ４２０へ送信されたか、どの及び幾つのＩＰパケットがソースｅＮＢ４２０からＡＴ４４０へ転送されたか、及びどの及び幾つのＩＰパケットがＡＧＷ４１０から受信されるべきかを知らない。
【００５１】
ハンドオフ中、順序通りのＩＰパケットの配信を保証するために、ターゲットｅＮＢ４３０は、ソースｅＮＢ４２０によって転送されたサービス・パケットから、ＡＧＷから直接受信されるサービス・パケットへ、いつ切り換えるかを決定しなければならない。これは、ＰＤＣＰシリアル番号（ＰＤＣＰ−ＳＮ）をこれらのパケットへ正しく割り当てて、これらのパケットが、最小のＤＬデータ遅延だけで順序づけられ、ＵＥ４４０へ順序正しく配信されることを保証するためである。しかしながら、これには、ターゲットｅＮＢがＩＰパケットを調整して、これらのパケットが適時に順序正しく受信されるようにする必要がある。
【００５２】
第１の可能な解決法は、ＬＴＥ又は他の無線パケット・データシステムの有線側の標準プロトコルを変更することである。例えば、ソースｅＮＢ４２０によってターゲットｅＮＢ４３０へ送信された最後のパケットにマークを付け、ターゲットｅＮＢ４３０がＡＧＷ４１０又は他のデバイスからのパケットの使用へ切り換えることができることをターゲットｅＮＢ４３０へ通知する。ＬＴＥの場合、これはＧＴＰ−ＳＮ、タグづけ、及びＰＤＣＰサポートを必要とする。これらは特定の配備では利用できることも利用できないこともある。
【００５３】
第２の解決法は、タイマを実施することである。様々な実施形態において、ターゲットｅＮＢ４３０がＨＡＮＤＯＶＥＲ  ＲＥＱＵＥＳＴ  ＡＣＫコマンドをソースｅＮＢ４２０へ送信すると、このようなタイマが最初に或る時間Ｔ１へ設定される。
【００５４】
タイマが稼働している間、ターゲットｅＮＢ４３０は、ソースｅＮＢ４２０によってリンクＸ２−４２２上を送信されたパケットによって提供される情報のみを、ＵＥ４４０へ送信することができる。
【００５５】
タイマが満了すると、ターゲットｅＮＢ４３０は、ＡＧＷ４１０によってリンクＳ１−４１４上を送信されたパケットによって提供される情報のみを送信する。後続のパケットがソースｅＮＢ４２０からリンクＸ２−４２２によって受信される場合、これらの後続パケットはドロップされ、これらの後続パケットが正しくない順序で送信されることを回避する。
【００５６】
このような固定値タイマは、万能値のタイマ（one-value-fits-all timer）が存在しないため、適切ではない。短いタイマは、ターゲットｅＮＢ４３０に転送されたパケット（即ち、ソースｅＮＢ４２０からのパケット）をドロップさせるか、正しくない順序で送信させる。しかしながら、過度に長いタイマは、エア・インタフェースをアイドルにする。最適タイマ値は、ターゲットｅＮＢ４３０内のメッセージ・キュー・サイズの関数となる。これは、チャネル条件、ハンドオフ頻度、及びアプリケーションタイプの関数である。
【００５７】
第３の解決法は、調節可能なタイマ、即ち、発見的能力を有するタイマを実現することである。様々な実施形態において、ターゲットｅＮＢ４３０によって使用されるタイマは、ターゲットｅＮＢ４３０がＨＡＮＤＯＶＥＲ  ＲＥＱＵＥＳＴ  ＡＣＫコマンドをソースｅＮＢ４２０へ送信したとき、最初に或る時間ＤＥＬＴＡへ設定される。一般的に、値ＤＥＬＴＡは、ソースｅＮＢ４２０とターゲットｅＮＢ４３０との間の伝送時間、伝搬遅延Ｄ１及びＤ２、及び処理時間Ｄ３（図４に示す）の合計に基づき、下記の式（１）に従って決定される。
【００５８】
ＤＥＬＴＡ＝Ｄ１＋Ｄ２＋Ｄ３＋Ｔａｕ          式（１）
ここで、Ｔａｕは或る性能バッファ時間である。
【００５９】
ターゲットｅＮＢ４３０とソースｅＮＢ４２０との間の往復伝搬時間は、標準の「ピング」コマンド又は同等物を使用してサンプルされることに留意されたい。したがって、ピングコマンドにより、Ｄ１＝Ｄ２＝１０ｍｓの伝送時間及び伝搬遅延の合計を測定する場合、バッファ時間を５ｍｓと仮定して、ＤＥＬＴＡをＤ１＋Ｄ２＋Ｔａｕ＝２５ｍｓへ設定することができる。ピングメッセージのサイズは、ハンドオフ時に転送されることを期待されたユーザデータ・パケットのサイズに合致するように選択される。又は、上界を得るために、このインタフェースで許容される最大トラスポート・ユニット・サイズを有する。
【００６０】
様々な実施形態において、パケットが、先の推定値とはかなり異なった時間に、ターゲットｅＮＢ４３０によって受信された場合、タイマの時間ＤＥＬＴＡは、メッセージごと及びパケットごとに、動的に調節されることに留意されたい。これは、ＤＥＬＴＡに正の値又は負の値を含めることでありうる。
【００６１】
タイマは、ターゲットｅＮＢ４３０によって使用され、ソースｅＮＢ４２０によって（リンクＸ２−４２２上を）転送されるサービストラフィックから、リンク４１４を介してサービスゲートウェイＡＧＷ４１０から受信されるトラフィックへ、いつ切り換えるかを決定する。パケットがＤＥＬＴＡ期間の間に受信される場合、タイマは再スタートされる。
【００６２】
タイマが満了すると、ソースｅＮＢ４２０からリンクＸ２−４２２上を転送されたパケットは、ドロップされるか、論理的に正しくない順序で送信される。これは、どちらがアプリケーションにとって破壊的でないかに依存する。タイマが満了した後、ターゲットｅＮＢ４３０は、ＡＧＷ４１０によって直接受信されたトラフィックを送信するように切り換わる。
【００６３】
図５及び図６は、上記で概説された３つのアプローチのシミュレーションについて、相対的性能をを示す。図５は典型的な良好なチャネル条件を表し、図６は典型的な貧弱なチャネル条件を表す。シミュレートされた条件は１７秒から５６秒までの１２のハンドオフを含み、ターゲットｅＮＢは最初に１「往復」時間（ＲＴＴ）（ここでは４０ｍｓと仮定する）待機し、次いでトンネルされたパケットが発見される度に、タイマは１ＲＴＴ（４０ｍｓ）の値で再スタートされる。これは調節可能であり、調節されたタイマのプロットは、プロット内で「発見的」のラベルを付けられている。左端のプロット（「ハンドオフ無し」）は、ハンドオフが起こらず、したがって、理論的限界を表す場合を示す。「最後のパケット」プロットは、上記で説明された第１の解決法を示し、これはソースｅＮＢからの最後のパケットが理論的標準に従ってマークされる場合である。「最後のパケット」プロットの右にある１５のプロットは、単純タイマアプローチに関連づけられた性能を、様々なタイマ値について示す。
【００６４】
図５及び図６から分かるように、「最後のパケット」に基づく切り換えは、標準サポートと引き換えに最良の性能を提供するが、この標準サポートは利用可能でないか実現されない。他方、「発見的」切り換えは、標準サポートを必要とせず、大方のシナリオでまずまず良好な性能を提供する。固定タイマのアプローチは、タイマ値に依存して最良でも「当たり外れ」があるように見える。
【００６５】
図７は、発見的能力を有するタイマの使用について例示的動作を概説するフローチャートである。プロセスはステップ７０２で開始する。ステップ７０２では、タイマの値「ＤＥＬＴＡ」が設定又は調節される。次に、ステップ７０４では、ソースｅＮＢからターゲットｅＮＢへのハンドオーバ手順が開始される。
【００６６】
ステップ７０６では、ターゲットｅＮＢによって使用されるようにタイマがスタートされる。このスタートは、一般的にはターゲットｅＮＢによって送信された適切なアクノレッジ信号に応答して行われる。
【００６７】
ステップ７０８では、パケットがソースｅＮＢから受信されたかどうか、又はタイマが「タイムアウト」になったかどうかについて判定が行われる。パケットが適時に受信された場合、制御はステップ７１０へ進む。ステップ７１０では、パケット内の情報がＵＥへ転送され、次にステップ７１２へ進む。ステップ７１２では、値ＤＥＬＴＡが任意に調節される。制御は、次いでステップ７０６へ戻る。ステップ７０６では、タイマが再スタートされる。
【００６８】
タイムアウトが起こった場合、制御はステップ７１８へ続く。ステップ７１８では、適切なゲートウェイによって送信されたパケットを送信し、ソースｅＮＢから受信されたパケットの送信を停止するように、ターゲットｅＮＢが設定され、次いで制御はステップ７５０へ続く。ステップ７５０では、プロセスが停止する。
【００６９】
上記の実施形態はソース及びターゲットｅＮＢの使用を特徴とするが、上記で説明された機能を実行することのできる他の基地局及び／又は他のタイプのネットワーク中間物、並びにＡＧＷ機能を実行する他のデバイス又はシステムが、実現されてもよいことは理解されるべきである。更に、上記の実施形態はＬＴＥで実現され得るが、他の移動通信パラダイム、例えば、ＲＡＮ３／ＥＵＴＲＡＮ、ＷｉＭＡＸ  ＬＴＥ、ＷＬＡＮなどが、本明細書で開示された例示的方法及びシステムの有利性を見出すであろう。したがって、上記の開示の趣旨において、所望の目的から逸脱することなく、様々な要素及びステップに対して修正及び／又は変更が行われてもよいことを理解すべきである。
【００７０】
本明細書で説明された手法は、様々な手段によって実現される。例えば、これらの手法は、ハードウェア、ソフトウェア、又はこれらの組み合わせで実現される。ハードウェア実現の場合、チャネル推定に使用される処理ユニットは、１つ又は複数の特定用途向け集積回路（ＡＳＩＣ）、デジタル信号プロセッサ（ＤＳＰ）、デジタル信号処理デバイス（ＤＳＰＤ）、フィールド・プログラマブル・ゲート・アレイ（ＦＰＧＡ）、プロセッサ、コントローラ、マイクロコントローラ、マイクロプロセッサ、本明細書で説明された機能を実行するように設計された他の電子ユニット、又はこれらの組み合わせで実現される。ソフトウェアを用いる場合、実現は、本明細書で説明された機能を実行するモジュール（例えば、手順、関数、その他）によって可能となる。ソフトウェアコードは、コンピュータ読み取り可能媒体又はメモリユニット内に記憶され、プロセッサによって実行される。
【００７１】
上記の説明は、１つ又は複数の実施形態の例を含む。もちろん、前記の実施形態を説明する目的で、構成要素又は方法の全ての考慮可能な組み合わせを説明することは不可能であるが、様々な実施形態の多くの更なる組み合わせ及び置換が可能であることを当業者は認識するであろう。したがって、説明された実施形態は、添付された特許請求の範囲の趣旨及び範囲に入る全ての変更、修正、及び変形を包含することを意図される。更に、「含む」の用語が詳細な説明又は特許請求の範囲のいずれかで使用される限りにおいて、このような用語は、「備える」の用語が請求項において遷移語として用いられた場合に解釈されるのと同様に包含的であることを意図される。
【図１】
2011503971.tif 000003
【図２】
2011503971.tif 000004
【図３】
2011503971.tif 000005
【図４】
2011503971.tif 000006
【図５】
2011503971.tif 000007
【図６】
2011503971.tif 000008
【図７】
2011503971.tif 000009
【国際調査報告】
2011503971.tif 000010
2011503971.tif 000011
2011503971.tif 000012
2011503971.tif 000013